(57)【要約】【課題】  アウトドア活動に用いて好適な足カバー付ショート丈長靴を提供すること。【解決手段】くるぶしを覆う程度の丈を有し、履き口側外縁１２を有するゴム製のショート丈長靴１０と、少なくとも膝下までの長さを有し、透湿防水性の繊維又はコーティング素材を用いてなる足カバー２０とを備え、足カバー２０は、膝からくるぶし方向に沿って幾分テーパーする筒状に接着された筒状貼合わせ部２１と、履き口側外縁１２に沿って防水性の接着剤で貼り付けられた小径側周縁２２と、足カバー２０の上端となる大径側周縁２３とを備え、ショート丈長靴１０の履き口側外縁１２と小径側周縁２２との面的接着に、ショート丈長靴１０のゴム素材と足カバー２０の透湿防水性の繊維又はコーティング素材との防水性接着剤を用いた。【選択図】  図１
0003229416.tif 000002
【実用新案登録請求の範囲】
【請求項１】
くるぶしを覆う程度の丈を有し、履き口側外縁を有するゴム製のショート丈長靴と、
少なくとも膝下までの長さを有し、透湿防水性の繊維又はコーティング素材を用いてなる足カバーと、を備える足カバー付ショート丈長靴であって、
前記足カバーは、
膝からくるぶし方向に沿って幾分テーパーする筒状に縫い合わせ又は接着された筒状貼合わせ部と、
前記履き口側外縁に沿って防水性の接着剤で貼り付けられた小径側周縁と、
前記足カバーの上端となる大径側周縁と、
を備え、前記ショート丈長靴の履き口側外縁と前記小径側周縁との面的接着に、前記ショート丈長靴のゴム素材と前記足カバーの透湿防水性の繊維又はコーティング素材との防水性接着剤を用いたことを特徴とする足カバー付ショート丈長靴。
【請求項２】
前記防水性接着剤は、布やゴムを被着材とする接着剤であって、水を媒体とした合成樹脂又は合成エラストマーのエマルジョンに樹脂又は可塑剤などの配合剤を加えたもの、又は合成エラストマーを主成分とし，樹脂，添加剤などの配合剤と有機溶剤とからなる請求項１に記載の足カバー付ショート丈長靴。
【請求項３】
前記筒状貼合わせ部は、前記足カバーの脛側に設けられたことを特徴とする請求項１又は２に記載の足カバー付ショート丈長靴。
【請求項４】
前記足カバーは、さらに、前記大径側周縁に設けられた筒状の紐通し部と、前記紐通し部を通して、両端が前面側から引き出して結べるように配置される止め紐とを有する請求項１乃至３の何れか１項に記載の足カバー付ショート丈長靴。
【請求項５】
前記足カバーは、さらに、前記足カバーの脛に対向する位置に逢着又は接着される面ファスナーを有し、前記面ファスナーは、脛あてを着脱自在に装着するように構成された請求項１乃至４の何れか１項に記載の足カバー付ショート丈長靴。
【請求項６】
前記面ファスナーはフック部であり、脛あてに設けられる面ファスナーのループ部と係合するように構成された請求項１乃至５の何れか１項に記載の足カバー付ショート丈長靴。
【請求項７】
請求項１乃至６の何れか１項に記載の足カバー付ショート丈長靴に装着される脛あてであって、
装着される脛の形状に適合するように折り曲げ加工されるアルミ板と、
前記アルミ板の両面を被覆する被覆布と、
前記被覆布の足カバー対抗面に縫着された面ファスナーと、
前記アルミ板、前記被覆布及び前記面ファスナーが一体化するように保持する止めボタンと、
を備える脛あて。
【請求項８】
さらに、前記被覆布の隅に縫着され、先端には係止用フックが設けられている係止用テープと、
前記被覆布の前記係止用テープが縫着された隅とは反対側の隅に設けられ、前記係止用フックが係止されるループ紐と、
を備える請求項７に記載の脛あて。
【請求項９】
前記係止用テープの長さは、ふくらはぎの太さ程度とし、請求項７に記載の面ファスナーと請求項５又は６に記載の面ファスナーとが係止していない状態でも、前記脛あてが足首側に落下しない様に保持できるように構成された請求項８に記載の脛あて。
【考案の詳細な説明】
【技術分野】
【０００１】
本考案は、外被が合成繊維の編布や織布によって構成されている軽量な足カバー付ショート丈長靴に関する。
また、本考案は、足カバー付ショート丈長靴に用いて好適な脛あてに関する。
【背景技術】
【０００２】
雪や雨が降っている日には、大抵の場合、足元を濡らさないように長靴やレインシューズを履いて外出する。さらに、雪や雨と共に風が吹く場合などには、膝や足の付け根まで、雪や雨が掛かってしまって濡れてしまうものである。このような事情は、市街地の通勤や通学よりも、バードウォッチングのようなアウトドア活動において、特に顕著となる。
【０００３】
従来、上述した如き不具合を解消しえる長靴として、例えば、特許文献１に提案されたものが知られている。特許文献１には、長靴本体の履き口周縁から膝若しくは足付根まで延びる足カバーを取付けてなり、上記足カバーを折り畳み自在で且つ防水性を有する合成樹脂製布にて構成し、且つ同足カバーの少なくとも最上部に止め紐を巻回して設けたものが提案されている。
しかし、長靴本体の脹脛を囲う胴体部が長いので、足カバーを折り畳み自在としても、長靴本体の胴体部の折り畳みが困難で、コンパクトな収納ができず、携行に不便であるという課題があった。
【０００４】
また、特許文献２に提案された長靴上縁開口部の防水構造も知られている。特許文献２には、長靴本体の上縁開口部の防水性を向上させた長靴と、この長靴に胸当て付ズボンを組み合わせて使用するのに好適な、長靴上縁開口部の防水構造構造が提案されている。
しかし、胸当て付ズボンは、釣り用スーツのように水中に脚を入れて作業をするものであり、市街地の通勤や通学、バードウォッチングのようなアウトドア活動においては、使用されない。そこで、特許文献２に提案された長靴では、用途が相違するという問題がある。
【０００５】
また、特許文献３に提案された防水ブーツも知られている。特許文献３には、編布または織布の裏面に合成樹脂による防水皮膜を有する防水シートを裁断し縫合してその縫い目にその防水皮膜側から防水テープを貼着し前記編布または織布の面を外面として形成された外被と、編布または織布を裁断し縫合したブーツ内面を構成する内袋と、その内袋の底部下面に遮水性の中芯を貼着してその中芯の下面に前記外被の底辺周縁部を吊り込みさらに外底を設けた構成の底構体とからなる防水ブーツが提案されている。
しかし、外被と内袋の二層構造によって、防水性を確保しているので、構造が複雑になるという課題があった。更に、外被の表面の編布または織布を毛細管現象により浸透して吊り込み端に達した外部からの水を、外被の繊維質部分である布部の端縁を遮水性の中芯と外被の防水皮膜を存在させて内袋と隔離することによって毛細管現象による水の浸入を阻止し、内袋を濡らさないように縫製加工する必要があり、縫製加工が複雑になるという課題があった。
【先行技術文献】
【特許文献】
【０００６】
【特許文献１】実開昭６２−２１９０３号公報
【特許文献２】実用新案登録第３１７５５８１号公報
【特許文献３】実開平６−６６３０１号公報
【考案の開示】
【考案が解決しようとする課題】
【０００７】
本考案は、上述した課題を解決するもので、簡単な構造で防水性を確保できると共に、縫製加工も容易で、コンパクトな収納ができ、携行にも簡便な、軽量で完全な足カバー付ショート丈長靴を提供することを目的とする。
さらに、バードウォッチングのようなアウトドア活動においては、ブッシュや岩稜体にも立ち入らざるを得ないことがあり、堅固な岩稜や樹木に膝を押し当ててしまい、下肢に傷害を負う可能性もある。そこで、防水機能に加えて、堅固な岩稜や樹木に膝を押し当ても、下肢が傷害を負う可能性が低減できる足カバー付ショート丈長靴に用いて好適な脛あてを提供することを目的とする。
【課題を解決するための手段】
【０００８】
［１］上記課題を解決する本考案の足カバー付ショート丈長靴は、例えば図１、図２、図３に示すように、くるぶしを覆う程度の丈を有し、履き口側外縁１２を有するゴム製のショート丈長靴１０と、少なくとも膝下までの長さを有し、透湿防水性の繊維又はコーティング素材を用いてなる足カバー２０と、を備える足カバー付ショート丈長靴であって、
足カバー２０は、膝からくるぶし方向に沿って幾分テーパーする筒状に縫い合わせ又は接着された筒状貼合わせ部２１と、履き口側外縁１２に沿って防水性の接着剤で貼り付けられた小径側周縁２２と、足カバー２０の上端となる大径側周縁２３と、大径側周縁２３に設けられた筒状の紐通し部２４と、紐通し部２４を通して、両端が前面側から引き出して結べるように配置される止め紐２５とを備え、ショート丈長靴１０の履き口側外縁１２と前記小径側周縁２２との面的接着に、ショート丈長靴１０のゴム素材と足カバー２０の透湿防水性の繊維又はコーティング素材との防水性接着剤を用いたことを特徴とする。
【０００９】
［２］本考案の足カバー付ショート丈長靴において、好ましくは、前記防水性接着剤は、布やゴムを被着材とする接着剤であって、水を媒体とした合成樹脂又は合成エラストマーのエマルジョンに樹脂又は可塑剤などの配合剤を加えたもの、又は合成エラストマーを主成分とし，樹脂，添加剤などの配合剤と有機溶剤とからなるとよい。このような接着剤は、ＪＩＳ  Ｓ６０４０に規定する一般工作用接着剤であるとよい。
【００１０】
［３］本考案の足カバー付ショート丈長靴において、好ましくは、筒状貼合わせ部２１は、足カバー２０の脛側に設けられるとよい。
［４］本考案の足カバー付ショート丈長靴において、好ましくは、さらに、大径側周縁２３に設けられた筒状の紐通し部２４と、紐通し部２４を通して、両端が前面側から引き出して結べるように配置される止め紐２５とを有するとよい。
【００１１】
［５］本考案の足カバー付ショート丈長靴において、好ましくは、足カバー２０は、さらに、足カバー２０の脛に対向する位置に逢着又は接着される面ファスナー２７を有し、面ファスナー２７は、脛あて３０を着脱自在に装着するように構成されるとよい。
【００１２】
［６］本考案の足カバー付ショート丈長靴において、好ましくは、面ファスナー２７はフック部であり、脛あて３０に設けられる面ファスナー３３のループ部と係合するように構成されるとよい。
【００１３】
［７］本考案の脛あては、例えば図４、図１、図２に示すように、［１］乃至［５］の何れか１項に記載の足カバー付ショート丈長靴に装着される脛あて３０であって、装着される脛の形状に適合するように折り曲げ加工されるアルミ板３１と、アルミ板３１の両面を被覆する被覆布３２と、前記被覆布の足カバー対抗面に縫着された面ファスナー３３と、アルミ板３１、被覆布３２及び面ファスナー３３が一体化するように保持する止めボタン３４とを備えるものである。
【００１４】
［８］本考案の脛あてにおいて、好ましくは、さらに、被覆布３２の隅に縫着され、先端には係止用フック３６が設けられている係止用テープ３５と、被覆布３２の係止用テープ３５が縫着された隅とは反対側の隅に設けられ、係止用フック３６が係止されるループ紐３７とを備えるとよい。
［９］本考案の脛あてにおいて、好ましくは、係止用テープ３５の長さは、ふくらはぎの太さ程度とし、［７］に記載の面ファスナー３３と［５］又は［６］に記載の面ファスナー２７とが係止していない状態でも、脛あて３０が足首側に落下しない様に保持できるように構成されるとよい。
【考案の効果】
【００１５】
本考案の足カバー付ショート丈長靴によれば、簡単な構造で防水性を確保できると共に、縫製加工も容易で、コンパクトな収納ができ、携行にも簡便な、軽量で完全な足カバー付ショート丈長靴を提供できる。
さらに、本考案の脛あてによれば、簡単な構造で足カバー付ショート丈長靴に装着できると共に、堅固な岩稜や樹木に脛を押し当ても、下腿を防御できる。さらに、脛あてを膝も保護するように装着すれば、堅固な岩稜や樹木に膝を押し当ても、膝や下肢全体を防御できる。
【図面の簡単な説明】
【００１６】
【図１】本考案の一実施例を示す構成斜視図で、足カバー付ショート丈長靴と脛あてを分離した状態を示している。
【図２】本考案の一実施例を示す構成斜視図で、脛あてを装着した状態の足カバー付ショート丈長靴を示している。
【図３】本考案の一実施例を示す構成斜視図で、足カバー付ショート丈長靴の足カバーを折り畳んだ状態を示している。
【図４】本考案の一実施例を示す脛あての展開図で、（Ａ）は裏面図、（Ｂ）は正面図を示している。
【考案を実施するための最良の形態】
【００１７】
以下、図面によって本考案の一実施形態について説明する。
本考案の一実施例を図１〜図３を用いて説明する。図中、足カバー付ショート丈長靴は、図１に拡大して部分断面を示すように、ショート丈長靴本体１０と、このショート丈長靴本体１０の履き口に取り付けられる足カバー２０と、着脱自在な脛あて３０で構成されている。
【００１８】
ショート丈長靴本体１０は、塩化ビニールのような合成樹脂を用いて、スラッシュ成形又はインジェクション成形するか、若しくは加硫ゴムシートでゴム貼りして成形するものである。ショート丈長靴本体１０は、くるぶしを覆う程度の丈を有するもので、底構体１１と履き口側外縁１２を有している。底構体１１は、地面に触れる靴底と内部のインナーソールを有している。足先の甲等に対向する部位の内面には保温用のボアを貼設する。
【００１９】
足カバー２０は、筒状貼合わせ部２１、小径側周縁２２、大径側周縁２３、紐通し部２４、止め紐２５、面ファスナー２６を有している。
足カバー２０は、防水加工を施した薄手のナイロン布で製造するとよいが、足の蒸れを防止する機能と雨水の浸入を防止できる透湿防水性の繊維やコーティング素材を用いてもよい。足カバー２０の長さは、膝下までとするのが好適であるが、膝上や脚の付け根まで伸ばしてもよく、ショート丈長靴本体１０の使用条件に応じて選択するものである。
【００２０】
筒状貼合わせ部２１は、足カバー２０を下腿の膝からくるぶし方向に沿って幾分テーパーする筒状に縫い合わせ又は接着する部位で、ショート丈長靴本体１０との接合部から大径側周縁２３までを接合する。筒状貼合わせ部２１を縫い合わせる場合は、その縫い目の全長にわたって合わせ面と針穴を完全にシールするように、縫合部に熱可塑性合成樹脂からなる熱溶着性の防水テープを熱溶着するとよい。防水性のコーティング剤で覆うとよい。筒状貼合わせ部２１は、足カバー２０の前側とすることで脛側に位置し、ふくらはぎ側に位置するよりも、防水性に優れる。
【００２１】
足カバー２０の小径側周縁２２は、ショート丈長靴本体１０の履き口側外縁１２に沿って防水性の接着剤で貼り付けている。足カバー２０の上端となる大径側周縁２３は、内側に折り込んで、その周縁を縫着し、筒状の紐通し部２４を形成する。
紐通し部２４内に止め紐２５を通して、止め紐２５の両端を前面側から引き出して結べるようにする。止め紐２５の先端には止め紐ソケット２６を設けて、止め紐２５が紐通し部２４内に留まり易くするとよい。止め紐ソケット２６の形状は、凹状のソケット形状とし、止め紐２５の先端を結んで止め紐２５の太さよりも太くして、止め紐ソケット２６から止め紐２５の先端が抜けることを防止する。
面ファスナー２７は、足カバー２０の脛に対向する位置に逢着又は接着されるもので、脛あて３０を着脱自在に装着するために、面ファスナーのフック部が設けられている。面ファスナーのフック部とすることで、脛あて３０が装着されていない場合でも、糸くずが付着するのを防止している。
【００２２】
次に、図４を参照して、脛あての詳細な構造を説明する。図４は、本考案の一実施例を示す脛あての展開図で、（Ａ）は裏面図、（Ｂ）は正面図を示しており、裏面図では被覆布３２を一部破断して、内部のアルミ板３１を露出して表している。
脛あて３０は、アルミ板３１、被覆布３２、面ファスナー３３、止めボタン３４、係止用テープ３５、係止用フック３６、ループ紐３７を有している。
アルミ板３１は、板厚０．３〜３ｍｍ程度の矩形形状をしており、脛骨を保護するようにアーチ状に屈曲させることができる。被覆布３２は、アルミ板３１を保持すると共にアルミ板３１の両面を被覆する。面ファスナー３３は、被覆布３２の足カバー２０対抗面に縫着されたもので、面ファスナーのループ部が設けられており、面ファスナー２７と着脱自在に装着される。止めボタン３４は、アルミ板３１、被覆布３２、面ファスナー３３が一体化するように保持する。
【００２３】
係止用テープ３５は、被覆布３２の隅に縫着されるもので、先端には係止用フック３６が設けられている。係止用テープ３５の長さは、ふくらはぎの太さ程度とし、脛あて３０が面ファスナー２７、３３で係止していない状態でも、足首側に落下しない様に保持できる。ループ紐３７は、被覆布３２の係止用テープ３５が縫着された隅とは反対側の隅に設けられるもので、係止用フック３６が係止される。
【００２４】
この様に構成された装備において、足カバー付ショート丈長靴の使用の際には、足カバー２０を介してショート丈長靴本体１０の中まで履き入れると共に、足カバー２０を脚の付け根まで引き上げ、止め紐２５を結ぶことによって、足カバー２０の上端周縁を足回りに締め付けて、ずり落ちない様に固定する。
脛あて３０を装着する場合には、面ファスナー２７、３３を当接させて、脛あて３０を足カバー２０の脛に対向する位置に装着する。次に、係止用テープ３５の係止用フック３６をループ紐３７に係止して、岩稜等に接触して脛あて３０が足カバー２０が離れそうになっても、脛あて３０が足カバー２０に保された状態を維持できるようにする。
【００２５】
本考案の足カバー付ショート丈長靴を携行したり収納する場合には、図３に示すように足カバー２０を小径側周縁２２付近で折り畳んで、先端側をショート丈長靴本体１０側に位置させたり、さらに折返して二段折にすると、非常にコンパクトになり、携行や収納が容易になる。なお、携行する場合には、この折り畳んだ状態で収納できるような形状のバッグやカバンに収容して、運搬するとよい。
【００２６】
なお、上記の実施例においては、足カバー２０の上端周縁に止め紐２５を設ける場合を示したが、本考案はこれに限定されるものではなく、足カバー２０の膝上部と膝下部にゴム製の止め紐を周設してもよい。足カバー２０の中間部にゴム製の止め紐を設けると、足カバー２０全体を使用者の脚にフィットさせた装着ができる。
【００２７】
以上説明したように、本考案の足カバー付ショート丈長靴によれば、確実に防水された、布製の極めて軽量なブーツが得られる。そして適切な伸縮性素材を外被および内袋に使用すれば、足首部を細くしても履くことができるので、足にフィットしやすいものとなる。
【００２８】
なお、上記の本考案の実施の形態においては、具体的な実施例を用いて本考案を説明したが、本考案は上記の実施の形態に限定されるものではなく、当業者にとって自明事項の範囲内で設計された態様も含むものである。
【産業上の利用可能性】
【００２９】
本考案の足カバー付ショート丈長靴によれば、簡単な構造で防水性を確保できると共に、縫製加工も容易で、コンパクトな収納ができ、携行にも簡便な、軽量でバードウォッチングのようなアウトドア活動に好適な足カバー付ショート丈長靴を提供できる。
さらに、本考案の脛あてによれば、簡単な構造で足カバー付ショート丈長靴に装着できると共に、堅固な岩稜や樹木に脛を押し当ても、下腿を防御でき、バードウォッチングのようなアウトドア活動にさらに好適となる。
【符号の説明】
【００３０】
１０  ショート丈長靴本体
１１  底構体
１２  履き口側外縁
２０  足カバー
２１  筒状貼合わせ部
２２  小径側周縁
２３  大径側周縁
２４  紐通し部
２５  止め紐
２６  止め紐ソケット
２７  面ファスナー（フック部）
３０  脛あて
３１  アルミ板
３２  被覆布
３３  面ファスナー（ループ部）
３４  止めボタン
３５  係止用テープ
３６  係止用フック
３７  ループ紐
【図１】
0003229416.tif 000003
【図２】
0003229416.tif 000004
【図３】
0003229416.tif 000005
【図４】
0003229416.tif 000006
【手続補正書】
【提出日】令和2年10月9日(2020.10.9)
【手続補正１】
【補正対象書類名】実用新案登録請求の範囲
【補正対象項目名】全文
【補正方法】変更
【補正の内容】
【実用新案登録請求の範囲】
【請求項１】
くるぶしを覆う程度の丈を有し、履き口側外縁を有するゴム製のショート丈長靴と、
少なくとも膝下までの長さを有し、透湿防水性の繊維又はコーティング素材を用いてなる足カバーと、を備える足カバー付ショート丈長靴であって、
前記足カバーは、
膝からくるぶし方向に沿って幾分テーパーする筒状に縫い合わせ又は接着された筒状貼合わせ部と、
前記履き口側外縁に沿って防水性の接着剤で貼り付けられた小径側周縁と、
前記足カバーの上端となる大径側周縁と、
を備え、前記ショート丈長靴の履き口側外縁と前記小径側周縁との面的接着に、前記ショート丈長靴のゴム素材と前記足カバーの透湿防水性の繊維又はコーティング素材との防水性接着剤を用いたことを特徴とする足カバー付ショート丈長靴。
【請求項２】
前記防水性接着剤は、布やゴムを被着材とする接着剤であって、水を媒体とした合成樹脂又は合成エラストマーのエマルジョンに樹脂又は可塑剤などの配合剤を加えたもの、又は合成エラストマーを主成分とし，樹脂，添加剤などの配合剤と有機溶剤とからなる請求項１に記載の足カバー付ショート丈長靴。
【請求項３】
前記筒状貼合わせ部は、前記足カバーの脛側に設けられたことを特徴とする請求項１又は２に記載の足カバー付ショート丈長靴。
【請求項４】
前記足カバーは、さらに、前記大径側周縁に設けられた筒状の紐通し部と、前記紐通し部を通して、両端が前面側から引き出して結べるように配置される止め紐とを有する請求項１乃至３の何れか１項に記載の足カバー付ショート丈長靴。
【請求項５】
前記足カバーは、さらに、前記足カバーの脛に対向する位置に逢着又は接着される面ファスナーを有し、前記面ファスナーは、脛あてを着脱自在に装着するように構成された請求項１乃至４の何れか１項に記載の足カバー付ショート丈長靴。
【請求項６】
前記面ファスナーはフック部であり、脛あてに設けられる面ファスナーのループ部と係合するように構成された請求項５に記載の足カバー付ショート丈長靴。
【請求項７】
請求項１乃至６の何れか１項に記載の足カバー付ショート丈長靴に装着される脛あてであって、
装着される脛の形状に適合するように折り曲げ加工されるアルミ板と、
前記アルミ板の両面を被覆する被覆布と、
前記被覆布の足カバー対抗面に縫着された面ファスナーと、
前記アルミ板、前記被覆布及び前記面ファスナーが一体化するように保持する止めボタンと、
を備える脛あて。
【請求項８】
さらに、前記被覆布の隅に縫着され、先端には係止用フックが設けられている係止用テープと、
前記被覆布の前記係止用テープが縫着された隅とは反対側の隅に設けられ、前記係止用フックが係止されるループ紐と、
を備える請求項７に記載の脛あて。
【請求項９】
前記係止用テープの長さは、ふくらはぎの太さ程度とし、請求項７に記載の面ファスナーと請求項５又は６に記載の面ファスナーとが係止していない状態でも、前記脛あてが足首側に落下しない様に保持できるように構成された請求項８に記載の脛あて。